(57)【要約】【課題】  ねじ込み式ソケットに対し、ワンタッチ操作で着脱可能な電球を提供する。【解決手段】  口金本体１にキャップ２を組み付けた口金には、キャップ２の湾曲頭部先端中央に通電用の第一の接触端子１３を設け、口金本体１の周囲の相反する二箇所に、中央を弓形に膨出湾曲させた板バネから成る第二の接触端子部材３を筒方向に沿わせて配置し、その第二の接触端子部材３に、第二の接触端子として、互いにソケットのねじ溝ピッチに対応させて位置ずれするよう形成した一対の突起１０，１０を設ける。又、口金本体１の基部側周面には４箇所に膨出部６，６・・を形成する。【選択図】    図４
2005293986.tif 000002
【特許請求の範囲】
【請求項１】
口金の先端中央に通電用の第一の接触端子を設けると共に、電球の口金の周囲に、放射方向へ反発力を有し、ソケットのねじ溝に係止可能な通電用の第二の接触端子を少なくとも１箇所設けたことを特徴とする電球。
【請求項２】
第二の接触端子は、相反する二箇所に中央を弓形に膨出湾曲させた板バネを筒方向に沿わせて配置し、その板バネに、互いにソケットのねじ溝ピッチに対応させて軸方向に位置ずれするよう形成した一対の突起により形成した請求項１に記載の電球。
【請求項３】
口金の基部側周面に、二箇所以上の膨出部を形成した請求項１又は２に記載した電球。
【請求項４】
口金の先端部分には、筒状の口金本体に形成された内フランジを絶縁性のキャップに形成した切り込み溝に差し込むと共に、絶縁性キャップに形成された嵌合部を口金本体の筒状内に嵌め込むことによって、口金本体に絶縁性のキャップが組み付けられている請求項１〜３のいずれかに記載した電球。
【発明の詳細な説明】
【技術分野】
【０００１】
本発明は、ねじ込み式ソケットに装着される電球に関する。
尚本発明において電球とは、照明用の白熱電球以外に、ヒータランプ、蛍光管を内蔵したボール形の電球等を含む。
【背景技術】
【０００２】
ソケットには電球の口金に対応したねじ込み穴が設けられていて、電球の口金をソケットのねじ込み穴にあてがって右に回すと口金はねじ込み穴内へと進入するので、口金先端がソケットの底部に突き当たった手応えを感ずるまでねじ込むだけで取り付けることができ、逆方向に回せば簡単に取り外すことができる。
ソケットは、通常高所に配置されていることが多く、脚立に上って片手操作するのは不安定なため二人がかりの作業になるし、背伸びすればかろうじて届く高さであれば、脚立を使用せずに一人で作業できるものの、回しながらの着脱操作は非常につらい。
一般家庭において、電球の交換は年に数えるほどしかないであろうが、ビルや集合住宅では、防犯用に廊下や階段、街路等に数多くの電球が使用されており、管理人はしょっちゅう球切れによる電球の交換に追われている。
そこで特許文献１に記載のように、ねじ込み式の電球をワンタッチで着脱可能としたソケットが提案されている。
【０００３】
【特許文献１】特開２０００−７７１４６号公報
【発明の開示】
【発明が解決しようとする課題】
【０００４】
前記特許文献１に記載のソケットは、ねじ込み操作によっても電球の着脱が可能であるから、電球を付け替る際、ねじ込み式のソケットと勘違いしてねじ込み操作してしまう可能性が高い。
又ソケットの内部構造は外観からは見分けられず、ねじ込み口の中を覗いても中は暗くて確認しにくいし、指先で触れてみたくとも感電の虞があって試す気を起こさせない。
そのため、せっかくのメリットが生かされることはほとんど期待できないし、新たに設置する場合はともかくも、既存のソケットをわざわざ交換するだけの魅力に欠ける。
普及させるには、ワンタッチ操作で着脱できることを確実に認識させるに足りる発案が必要である。
【課題を解決するための手段】
【０００５】
電球は消耗品であって、遅かれ早かれ交換時期は訪れ、その際交換する電球としてワンタッチ式で着脱可能なタイプが選択される期待は高く、交換する電球の口金に特徴があれば、必ずそれに気付き、ワンタッチ式と認識されるはずである。
本発明は、既存のねじ込み式ソケットに対してワンタッチ操作で着脱可能とした電球であって、その構成は、口金の先端中央に通電用の第一の接触端子を設けると共に、電球の口金の周囲に、放射方向へ反発力を有し、ソケットのねじ溝に係止可能な通電用の第二の接触端子を少なくとも１箇所設けたことにある。
【０００６】
そして前記第二の接触端子は、相反する二箇所に中央を弓形に膨出湾曲させた板バネを筒方向に沿わせて配置し、その板バネに、互いにソケットのねじ溝ピッチに対応させて軸方向に位置ずれするよう形成した一対の突起とすることが望ましい。
又、口金の基部側周面には、二箇所以上の膨出部を形成することができ、更に、口金の先端部分には、筒状の口金本体に形成された内フランジを絶縁性のキャップに形成した切り込み溝に差し込むと共に、絶縁性キャップに形成された嵌合部を口金本体の筒状内に嵌め込むことによって、口金本体に絶縁性のキャップを組み付けるようにができる。
【発明の効果】
【０００７】
ソケットのねじ込み穴に口金を押し込めば、第二の接触端子がねじ込み穴内のねじ山を次々と乗り越えて進入し、口金先端がねじ込み穴の底に到達した時点で取り付けが終了する。
通常の電球との違いは、口金を一目見ただけで認識可能であり、交換に際してねじ込み式と混同することはない。
又、構造が簡単であるから、初めて見る人でもねじ込み操作するものではないと直感すると共に、押し込み操作すれば良いことを即座に察知し、迷うことなく押し込み操作にして取り付けることができる。
【０００８】
又、第二の接触端子を相反する位置に設けた一対の突起で構成すれば、バランスよく押し込み操作することができるし、膨出部を形成すれば、取り付け状態でのぐらつきが防止される。
更に、絶縁性のキャップは、差し込みと嵌め込みとにより組み付けが容易で、一旦組み付けてしまえば脱落はしない。
【発明を実施するための最良の形態】
【０００９】
本発明に係る電球を図面に基づいて説明する。
図１は電球の口金部分を分解して示した説明図であって、１は筒状の口金本体、２はキャップ、３は板バネから成る第二の接触端子部材である。
口金本体１は導電性の高い銅製円筒状で、板厚は０．２ｍｍに形成され、基端縁は拡径されており、上端縁を、片側半分が一段低く切り欠かれた段付き形状とし、上段縁の周面には内フランジ４が一体に形成されている。
又、上段と下段との境には、スリット５が下段上縁の延長上に切り込み形成され、基端側の外周面には４箇所に縦長い楕円形の膨出部６，６，・・が設けられている。
この膨出部６，６・・はその頂点が水平断面においてソケットのねじ山の頂点軌跡上に一致する。
【００１０】
キャップ２は、絶縁性の高い合成樹脂製で、前記口金本体に対応した段付き底に形成されており、底面には嵌め込み部７が突設され、球面頭部の中央には、底面まで貫通したリード線引き出し穴８が開口している。
又、底面には中央を横断するように第二の接触端子部材３の厚み分だけ削ぎ落した逃げ溝９が形成されている。
【００１１】
第二の接触端子部材３は、バネ性を有した帯状の金属板をコ字状に折り曲げ、向き合った板部を外側へ弓形に湾曲させることによって外方向へ反発力を持たせ、それら湾曲部には、第二の接触端子として互いにねじのピッチに対応するよう軸方向に位置ずれ（実施例では２ミリ）せしめた突起１０，１０が形成されている。
この第二の接触部材３は、コ字状内面中央部を口金本体１の下段上縁に乗せ掛け、スライドさせてスリット５に差し入れれば仮止めされる。
キャップ２には、図２に示すように、段付き底と球面頭部との境に、フランジ差し込み用の切り込み溝１１が形成されており、このキャップ２を口金本体１に取り付けるには、キャップ２を斜め上方から近づけて切り込み溝１１内に内フランジ４の内周面を差し込み（図２のａ）、その差し込み方向へ強く押し付けたまま嵌合部７を口金本体１に圧入する（図２のｂ）。
【００１２】
このようにして組み付ければ、内フランジ４が切り込み溝１１に食い込んで口金本体１とキャップ２とが一体化され、又、第二の接触端子部材３は口金本体１に形成されたスリット５とキャップ２に形成された逃げ溝９内に納まって脱落しない。
そして内フランジ３により片持ち支持されたキャップ２は、内フランジ３の撓みによって浮き気味状態になっているので、キャップ２は頭部を手で押すと数ミリ沈み込み、放せば元に戻るようにバネ性を有した構造になっている。
【００１３】
バルブ１２は、首に当たる取り付け部を口金の基端拡径部に嵌め込んで固定し、リード線１２ａ、１２ｂは図３に示すように、１本は第二の接触端子部材３に接続し、もう一本はリード線引き出し穴８を通って球面頭部中央より頭出しさせて第一の接触端子１３と接続する。
尚、実施例は口金本体１が金属製であるため、第二の接触端子部材３と口金本体１とは電気的に接触しているので、リード線１２ａは口金本体１に接続することもできる。
完成した電球は図４に示すように、ねじ山がなくすっきりとした印象を与える。
【００１４】
次に電球の取り付け手順を示すと、先ず口金の先をソケット１４のねじ込み穴の口にあてがうと、周面から張り出している第二の接触端子部材３における湾曲部分がねじ山に接触して進入を阻まれる（図５のａ）が、軽く押し付ければ湾曲部分が反発力に抗して口金１の周面に押し付けられるので、軽い力で押し込むことができる（図５のｂ）。
湾曲部分には第２の接触端子である突起１０が形成されているので、押し込む過程では突起１０がねじ山を乗り越える手応えを感ずることができ、第一の接触端子１３がソケット１４の底に達するまで押し込む（図５のｃ）。
多少強めに押し込むことで、キャップ２が沈み込み、電球から手を放せば、ねじピッチの関係で、突起とねじ溝との係止位置が多少ずれていても、第一の接触端子１３はソケット１４の中央端子１５と接触するが、ずれが大きく接触していないこともあるので、軽く右に回して確実に接触したことを確認する（図５のｄ）。
取り外す場合は前記とは逆の操作、即ち引き抜き操作すればよいが、左に回転させても可能である。
【００１５】
このように本発明の電球は、ソケットに押し込み、或いは引き出すだけのワンタッチ操作で着脱できる。
ソケットは、業者でない限り予備をストックしておくことはなく、設置後は箱や説明書など、ワンタッチ式であることの手がかりになるようなものは一切残っていない。
それに対して消耗品である電球は、予備が買い置きされている場合が多く、その場合ほとんどが緩衝材や包装体でくるまれていて、説明書も付属している。
ましてや電球を手にした際、口金の形状が目に飛び込むので、説明書がなかったり、それまで取り扱った経験がなくても、ワンタッチ操作タイプであることを認識し、操作性の良さを実感できる。
【００１６】
又、口金本体１の基端側周囲には膨出部６，６・・が形成されているので、ソケット１４に装着した状態では、膨出部６，６・・がねじ山に接触し、４箇所を均等に保持されてぐらつきが防止される。
【００１７】
実施例では、第二の接触端子が一枚のバネ材をコ字状に折り曲げた第二の接触端子部材に形成されている一対の突起であるが、放射方向に対して反発力を有し、且つねじ溝に係止可能であれば、複数枚の板バネや折り曲げた針金状のバネを利用することができ、第二の接触端子や膨出部の数、形状、大きさなどは本発明の趣旨を逸脱しない範囲内で適宜変更して差し支えない。
【図面の簡単な説明】
【００１８】
【図１】本発明に係る電球の口金部分を分解して示した説明図である。
【図２】口金本体にキャップを取り付ける工程の説明図である。
【図３】口金部分の内部構造を示した説明図である。
【図４】電球の口金部分を示した説明図である。
【図５】ソケットに対する取り付け手順を示した説明図である。
【符号の説明】
【００１９】
１・・口金本体、２・・キャップ、３・・第二の接触端子部材、４・・内フランジ、５・・（第二の接触部材差し込み用の）スリット、６・・膨出部、７・・嵌合部、８・・リード線引き出し穴、９・・逃げ溝、１０・・突起、１１・・（フランジ差し込み用の）切り込み溝、１２・・バルブ、１２ａ、１２ｂ・・リード線、１３・・第一の接触端子、１４・・ソケット、１５・・中央端子。
【図１】
2005293986.tif 000003
【図２】
2005293986.tif 000004
【図３】
2005293986.tif 000005
【図４】
2005293986.tif 000006
【図５】
2005293986.tif 000007